(57)【要約】      （修正有）【課題】狭い部屋の中にあるベッドを、ベッド全体をテーブル等として使用できるようにする。【解決手段】テーブルになる折り畳み式や、シャッター式のプレート３２と、プレートをベッドの上に載せ支えることが可能な支え板１１．１２をベッドと一体化したり、既設のベッドの場合は、テーブル装置をベッドに横付け配置する。ベッドをテーブルにするときには、支え板１１．１２を立ててその上にプレート３２を載せ、テーブルにする。【選択図】図１ａ
2005323990.tif 000002
【特許請求の範囲】
【請求項１】
ベッドの上に敷くプレートと、そのプレートを格納するテーブル格納部とプレートを受ける支え板をベッドと一体化して構成され、ベッドをテーブル等として利用するときに、支え板をベッドの周囲に立ててその上にプレートを引き出しテーブルとしても利用出来ることを特徴とするベッド。
【請求項２】
テーブル格納部とプレートとプレートを受ける支え板と下部板から構成されるテーブル装置で、この装置を既設のベッドに横付けすることで、テーブル等として利用するときには支え板を下部板の上に立ててその上にプレートを引き出しテーブルとして利用出来ることを特徴とするテーブル装置。
【発明の詳細な説明】
【技術分野】
【０００１】本発明は、部屋の中に有るベッドを有効に使うために、ベッドを簡単にテーブルに変えることが可能なベッドに関する。
【背景技術】
【０００２】部屋の中に有るベッドは、就寝中は寝るための用具として使うが、起床してしまうと用途がなくスペースを取るのみで、また、来客などがあればフトンカバーを掛けるなどして目隠しなどの体裁をしなければならない。折り畳んでソアァにする物や、壁や家具などに収納するベッドなども有るが、ベッドの上のフトンを撤去しないとだめで、簡単ではない。また、ベッドテーブルという門型した物も有るが、ベッド全体を覆いテーブルとして使う発想ではなく、部分的なテーブル台とし、テーブル台を収納型にしている物もある。
【特許文献１】実用新案公開平６−４１５５８の収納式ベッドに示されている。
【特許文献２】公開特許特開２００３−２５９９４２のベッドに示されている。
【発明の開示】
【発明が解決しようとする課題】
【０００３】本発明は、ワンルームマンションの狭い部屋や、事務所など狭いところにベッドが置いて有る所では、ベッドの上のフトンに資料や道具などを置いたりしてしまうが、フトンは柔かいためにへ込んでしまい使いづらかったり、来客時にはフトンの目隠しにカバーなどで覆い体裁をすることが必要になる。この様な場合に、ベッドにフトンを敷いたままでその上に簡単にプレートで覆い、そのプレートがテーブルに代用することが出来れば、狭いスペースも有効に使うことが可能となり、さらにベッドの体裁を良くする提案である。
【課題を解決するための手段】
【０００４】上記目的を達成するために、本発明は、ベッドの端面を利用してテーブルになる折り畳み式やシャッター状のプレートを収納するボックス箱等を取付、プレートをベッドの上に載せ支えることが可能な支え板などから構成される。横棒の場合には収縮可能なスペースをとらない棒であり、長い場合にはそれを床から支えるための縦支柱などから構成される。【０００５】通常、ベッドとして使う時にはこれらの装置は邪魔にならないようにベッドの頭部側や足側に取り付け、ベッドに敷いたフトンの高さよりも高い位置にテーブルが敷ける様に取り付けられ、かつ、ベッドとして使うときには就寝の出入りには支承をきたさない位置に配置する。【０００６】テーブルとして使う時や、来客などでベッドを覆う時には、ベッドの側面に取り付いている支え板をベッドの縁に起こしてセットする。次に、テーブル格納部からプレートを引き出して支え板の上に敷くことでベッドからテーブルに切り換えることが可能となる。
【発明の効果】
【０００７】以上説明したように本発明は、狭い部屋や事務所の中でベッドの占めるスペースが大きい場合などに、ベッドの上に敷いてあるフトンはそのままにして、ベッドを簡単にテーブルに切り換えることができてスペースを有効に活用出来き、また、来客などでベッドを覆う必要が有るときにも簡単にベッドを覆うことができベッドの見栄えを損なわずに体裁よく覆うことができるなどの効果が期待出来る。
【発明を実施するための最良の形態】
【０００８】以下、図面を参照しながら、本発明の好ましい実施形態を詳細に説明する。ベッドにも種類が有り、また、ベッドとテーブル装置を一体化出来る場合や、既設のベッドにテーブル装置を後付する場合などの場合について以下に説明する。
【実施例１】
【０００９】図１は、本発明に係る第一の実施例を示した図であり、図１ａはベッドとして使う状態の斜視図である。図１ｂはテーブルとして使う状態の斜視図である。本発明ではベッド１０に敷いてあるフトン２０は、起床してしまうとフトン２０はベッド１０の上に載せたままになっているのが普通であり、何かを置こうとしてもフトン２０を広げて平らにしてもフトン２０は柔らかいので台にはなりにくく、汚れた物などは更に載せずらい。また、来客などが有る場合に、フトン２０を敷いたベッド１０が部屋の中に有るとフトン２０の目隠しのために布カバーなどで覆い体裁をすることが必要になる。その様な時に本発明ではベッドの１面にテーブルになる折り畳み板３２を格納する部分３２ａを設けておき、ベッド１０の他の面には丁番等の金具１４ａでベッド１０に取りつけた支え板１１．１２をベッド１０の縁の上に起こし、支え板１１．１２のコーナー部を留め金１４ｂで押さえて支え板１１．１２をベッド１０の上に固定する。固定された支え板１１．１２の上に、丁番３３で折り畳んで格納されている折り畳み板３２を引き出して広げればベッド１０の上面はテーブルとして使用出来る状態になる。
【実施例２】
【００１０】図２は第二の実施例を示した図であり、ベッドと一体化したテーブルになるベッドの実施例を示した図である。図２ａはベッドとして使う状態の斜視図であり、図２ｂはテーブルとして使う状態の斜視図である。本発明では図１に対して異なるのは、ベット１０の形状によってはテーブル格納部３０をベッドの外観上ベッド１０の上面の高さ程度に押さえた場合の実施例である。テーブル格納部３０の上面をベッド１０の上面の高さにするため、テーブル３１になる部分は下から上に引き上げて支え板１１のＲ部１１ａに沿って曲がりながら引き出すためテーブル３１になる部分は横引きのシャッター等の形状の方が好ましい。テーブル３１を受ける支え板１１．１２は図１の実施例と同じ様にベッド１０の残り面に丁番等の金具１４ａでベッド１０に取りつけた支え板１１．１２をベッド１０の縁の上に起こし、支え板１１．１２のコーナー部を留め金１４ｂで押さえて支え板１１．１２をベッド１０の上に固定することでその上にシャッター等を引き出して広げればベッド１０の上面はテーブルとして使用出来る状態になる。。【００１１】図２ｃは、本案がテーブル３１になる部分がシャッター形状のために上面に敷いたテーブルがずれてしまう様であれば、支え板１１の上面にのガイドレール１７を設けてテーブル３１側の先端部にもガイド金具３５を取りつけガイドレール１７の溝に勘合させるようにすればシャッター式テーブル３１がずれる問題は解消出来る。
【実施例３】
【００１２】図３は第三の実施例を示した図であり、既設の家庭用ベッドをテーブルにする場合の実施例を示した図である。テーブルになる装置を既設のベッド１０に横付けする形となる。発明の図３ａはベッドとして使う状態の斜視図であり、図３ｂはテーブルとして使う状態の斜視図である。既設のベッドの場合はテーブルになる折り畳み板３２を格納しフトンの高さまで上に上げるテーブル格納台３４とテーブル３２を支える支え板１１と丁番等の金具１４ａで結合した下部板１３からなる。テーブルにするときは支え板１１を下部板１３の上に起こして支え板１１のコーナー部とテーブル格納台３４を留め金１４ｂで押さえて固定する。【００１３】テーブル格納台３４と下部板１３は組立式に固定されるが、ベッド１０のサイズに合わせて取付巾や下部板１３の高さ位置は調整が出来るようにしておく。また、装置をコンパクトに作るために、支え板１１はベッド１０の長手方向の半分程度の長さとし残りの部分は支え板１１に伸縮するカイドバー１５を取り付けて、テーブルとして使うときにはカイドバー１５を伸ばしカイドバー１５の先端を支柱１６で支えることでも良く、あるいは、スペースが取れれば、支え板１１や下部板１３をベッドの長さにすればカイドバー１５や先端を受ける支柱１６は使わなくても良くなる。なお、支え板１１がベッド１０の長手方向の半分程度の長さとした場合は、デーブル３２を敷いても横の隙間から中のフトンが見えてしまい見栄えを損なわずに体裁よく覆うことができない場合には、隙間をカーテンなどを取付け目隠しすることで解消できる。
【図面の簡単な説明】
【００１４】
【図１】本発明に係る実施例１を示したベッドと一体化したテーブルになるベッドの斜視図である。図１ａは通常のベッドとして使う状態を示し、図１ｂはテーブルにした状態を示す。
【図２】本発明に係わる、ベッドと一体化したテーブルになる部分をシャッター方式にしたベッドの実施例２を示す斜視図である。図２ａは通常のベッドとして使う状態を示し、図２ｂはテーブルにした状態を示し、図２ｃは図２ｂのｃ部の断面図を示す。
【図３】本発明に係わる、既設のベッドにテーブルになる部分を後付けで取りつけた実施例３を示す斜視図である。図３ａは通常のベッドとして使う状態を示し、図３ｂはテーブルにした状態を示す。
【図４】家庭のベッドで起床した後のフトンが載ったままのベッドの斜視図である。
【符号の説明】
【００１５】１０    ベッド
１１    支え板
１２    支え板
１３    下部板
１４ａ  金具
１４ｂ  止め金具
１５    カイドバー
１６    支柱
１７    病院ベッド
１８    縦枠
１９    横枠
２０    フトン
３０    テーブル格納部
３１    シャッター式テーブル
３２    折り畳み式テーブル
３３    丁番
３４    テーブル格納台
【図１ａ】
2005323990.tif 000003
【図１ｂ】
2005323990.tif 000004
【図２ａ】
2005323990.tif 000005
【図２ｂ】
2005323990.tif 000006
【図２ｃ】
2005323990.tif 000007
【図３ａ】
2005323990.tif 000008
【図３ｂ】
2005323990.tif 000009
【図４】
2005323990.tif 000010